(57)【要約】【課題】  記録媒体を基板に対して平行に挿抜することができ、装着時においてもストレスのかからない記録媒体装着構造を提供する。【解決手段】  基板上のソケットに対して後端部に凸部を備えた記憶媒体を装着可能な記憶媒体装着構造において、前記ソケットに前記記憶媒体を挿抜する際に該記憶媒体の凸部を吸収する段差部を前記基板に形成した。【選択図】  図１
2005340037.tif 000002
【特許請求の範囲】
【請求項１】
基板上のソケットに対して後端部に凸部を備えた記憶媒体を装着可能な記憶媒体装着構造において、
前記ソケットに前記記憶媒体を挿抜する際に該記憶媒体の凸部を吸収する段差部を前記基板に形成したことを特徴とする記憶媒体装着構造。
【請求項２】
前記段差部は前記記憶媒体の挿抜方向に前記ソケットの接続ピン以上の長さを有する逃げ溝で形成される請求項１記載の記憶媒体装着構造。
【請求項３】
前記逃げ溝は前記ソケットへの前記記憶媒体の挿抜時において、指先が入る凹部を成した請求項２記載の記憶媒体装着構造。
【発明の詳細な説明】
【技術分野】
【０００１】
本発明は、記録媒体装着構造に関する。
【背景技術】
【０００２】
最近、コンパクトフラッシュ(登録商標）と称される記録媒体が様々な機器において多用されているが、当該コンパクトフラッシュは瞬時に読み書きを行うことが可能で利便性に優れていると共に、小型であるため可搬性にも優れる。
【０００３】
図４に示すように、コンパクトフラッシュ１１の先端部には、ソケットに設けられた接続ピンが挿入可能な挿入孔１１ｂが設けられ、また、後端部にはソケットからの抜取りを容易にするための凸部１１ａが設けられている。
【０００４】
一方、上記コンパクトフラッシュ１１が挿入されるソケットには、上記挿入孔１１ｂに対応して接続ピンが設けられ、当該接続ピンの長さ方向にコンパクトフラッシュ１１を差し込むことによって、ソケットに装着することが可能になっている。
【０００５】
上記ソケットの取付け方向、すなわちコンパクトフラッシュの差込み方向は、機器によって様々であるが、上記コンパクトフラッシュ１１を基板に平行に差し込む構造が考えられる。この構造において、従来は、上記ソケットが電子機器の筐体の外部にその挿入穴が開口したりして、基板上に当該コンパクトフラッシュ１１を平行に差し込むことができるように配設されている場合があり、これは、当該コンパクトフラッシュ１１の凸部を基板の外部へ配置する構成である（特許文献１参照）。
【特許文献１】特開２０００−３５５１４７号公報
【発明の開示】
【発明が解決しようとする課題】
【０００６】
しかしながら、上記従来の構成とは異なり、ソケットへの装着状態において、上記コンパクトフラッシュの凸部が基板上に位置する構成である場合、当該凸部が基板に当接することによって、当該基板に平行に当該コンパクトフラッシュを挿入することができず、それがストレスとなり機器の誤動作の原因となる。
【０００７】
そこで、本発明は、上記問題に鑑み、記録媒体を基板上のソケットへ挿抜するに際して当該記録媒体の凸部を吸収する段差部を当該基板に設けることで、当該記録媒体を基板に対して平行に挿抜することができ、装着時においてもストレスのかからない記録媒体装着構造を提供することを目的とする。
【課題を解決するための手段】
【０００８】
本発明は、基板上のソケットに対して後端部に凸部を備えた記憶媒体を装着可能な記憶媒体装着構造を前提としている。
【０００９】
本発明は、前記ソケットに前記記憶媒体を挿抜する際に該記憶媒体の凸部を吸収する段差部を前記基板に形成した構成としている。
【００１０】
このようにすれば、記録媒体を基板上のソケットへ挿抜するに際して当該記録媒体の凸部を吸収する段差部を当該基板に設けたことになるので、当該記録媒体を基板に対して平行に挿抜することができ、装着時においてもストレスがかからない。
【００１１】
また、前記段差部は前記記憶媒体の挿抜方向に前記ソケットの接続ピン以上の長さを有する逃げ溝で形成される構成としてもよい。このようにすれば、必要最低限のコストで適正な段差部を形成することができる。
【００１２】
また、前記逃げ溝は前記ソケットへの前記記憶媒体の挿抜時において、指先が入る凹部を成した構成としてもよい。このようにすれば、手動操作の操作性が高まり、記憶媒体の挿抜が容易となる。
【発明の効果】
【００１３】
記録媒体を基板上のソケットへ挿抜するに際して当該記録媒体の凸部を吸収する段差部を当該基板に設けることで、当該記録媒体を基板に対して平行に挿抜することができ、装着時においてもストレスがかからない。
【発明を実施するための最良の形態】
【００１４】
（第１の実施の形態）
以下、本発明の第１の実施の形態を図面にしたがって詳細に説明する。
【００１５】
図１は複写機、プリンタ、デジタルカメラ記憶装置、デジタルオーディオ等のデジタル利用によく適合し、ハウジング内で書き込み可能なデジタルデータの記録にも適する記憶媒体の一種であるコンパクトフラッシュ１と、基板３上に設けられた当該コンパクトフラッシュ１を基板３と略平行に挿入して装着するソケット２を示した縦断面図である。
【００１６】
コンパクトフラッシュ１の先端部には、ソケットに設けられた接続ピン２ａが挿入可能な挿入孔２ｂが設けられ、また、後端部にはソケットからの抜取りを容易にするための凸部１ａが設けられている。
【００１７】
上記接続ピン２ａは上記ソケット２の内側面に基板に対して平行に突出しており、上記コンパクトフラッシュ１を差し込むことで当該接続ピン２ａと挿入孔２ｂとが接触して電気的に接続され、データの記録、読み出しを行う。
【００１８】
さらに、上記ソケット２への上記コンパクトフラッシュ１の挿抜の際に上記凸部１ａが邪魔にならないように当該凸部１ａを吸収し、挿抜方向に上記接続ピン２ａよりも長い逃げ溝４を基板３に形成し、当該基板３に段差部を形成している。
【００１９】
ユーザは上記ソケット２に上記コンパクトフラッシュ１を挿入する際、当該コンパクトフラッシュ１の挿入孔２ｂの先端部が当該ソケット２の接続ピン２ａの先端部に当接すると同時に、当該コンパクトフラッシュ１の凸部１ａを上記逃げ溝４に嵌入させ、当該コンパクトフラッシュ１が上記基板３に支持されて当該基板３に対して平行を保ち、そのまま挿入方向へ当該コンパクトフラッシュ１をスライドさせて装着する。
【００２０】
抜取りは、上記コンパクトフラッシュ１が上記基板３に支持されて当該基板３に対して平行を保ち、そのまま抜取り方向へ当該コンパクトフラッシュ１をスライドさせて抜取る。
【００２１】
このようにすれば、記録媒体を基板上のソケットへ挿抜するに際して当該記録媒体の凸部を吸収する段差部を当該基板に設けたことになるので、当該記録媒体を基板に対して平行に挿抜することができ、装着時においてもストレスがかからない。
【００２２】
なお、図２に示すように、逃げ溝４がコンパクトフラッシュ１の挿抜時に指先が入る凹部を成す構成としてもよい。このようにすれば、手動操作の操作性が高まり、記憶媒体の挿抜が容易となる。また、逃げ溝４は基板に対して垂直方向に貫通した穴としてもよい。
【００２３】
（第２の実施の形態）
図３は本発明の第２の実施の形態を示す縦断面図である。なお、図３では第１の実施の形態で同一の部位には同一の符号を付している。
【００２４】
まず、基板３に部品を実装し当該部品の実装空間３ｂを覆う脚材３ａを基板３上に配設する。
【００２５】
上記脚材３ａは、ソケット２へのコンパクトフラッシュ１の装着状態において、当該コンパクトフラッシュ１の抜取り方向に当該ソケット２の先端部と当該コンパクトフラッシュ１の凸部１ａとの距離よりも短く、且つ凸部１ａの突き出し方向の長さよりも高い台状の形態を成しており、基板３上に段差部を形成している。
【００２６】
ユーザは基板３と平行に脚材３ａに支持された状態の上記コンパクトフラッシュ１をスライド操作することで上記ソケット２への挿抜を行う。
【００２７】
このようにすれば、記録媒体を基板上のソケットへ挿抜するに際して当該記録媒体の凸部を吸収する段差部を当該基板に設けたことになるので、当該記録媒体を基板に対して平行に挿抜することができ、装着時においてもストレスがかからない。
【００２８】
さらに、基板に形成した脚材の内部の空間を部品実装に利用することで、部品実装面積を増加させることができる。
【００２９】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３０】
記録媒体を基板上のソケットへ挿抜するに際して当該記録媒体の凸部を吸収する段差部を当該基板に設けることで、当該記録媒体を基板に対して平行に挿抜することができ、装着時においてもストレスがかからないので有用である。
【図面の簡単な説明】
【００３１】
【図１】本発明の第１の実施の形態における記憶媒体装着構造を示す縦断面図である。
【図２】本発明の他の実施の形態における逃げ溝とコンパクトフラッシュの挿抜状態を示す上面図である。
【図３】本発明の第２の実施の形態における記憶媒体装着構造を示す縦断面図である。
【図４】コンパクトフラッシュを示す斜視図である。
【符号の説明】
【００３２】
１    コンパクトフラッシュ
１ａ    凸部
２    ソケット
２ａ    接続ピン
３    基板
４    逃げ溝
【図１】
2005340037.tif 000003
【図２】
2005340037.tif 000004
【図３】
2005340037.tif 000005
【図４】
2005340037.tif 000006